(57)【特許請求の範囲】
【請求項１】
複数の相手先情報を記憶する記憶手段と、
前記記憶手段に記憶されている複数の相手先情報の中から所望の相手先情報をを検索する検索手段と、
検索手段により検索された相手先情報に含まれる番号データの発信を指示する指示手段と、
前記検索手段により検索された相手先情報を、前記指示手段による指示があるまで保持しておく保持手段と、を備え、
前記保持手段により相手先情報が保持された状態で、前記指示手段による指示が行われる前に、ダイヤル情報の入力を受け付け、ダイヤル情報の入力がなされた後、前記指示手段により発信の指示がなされた場合に、前記入力されたダイヤル情報に続いて前記保持手段により保持されている相手先情報の番号データを発信することを特徴とする通信装置。
【請求項２】
前記検索手段により検索された相手先情報を表示する表示手段を有し、前記保持手段は、前記表示手段に表示されている相手先情報を保持し、前記表示手段により相手先情報が表示された状態で前記ダイヤル情報の入力を受け付けるように構成されていることを特徴とする請求項１に記載の通信装置。
【請求項３】
電話帳モードに設定する設定手段を備え、
その設定手段により電話帳モードに設定されると、前記検索手段による検索が実行可能となり、電話帳モードの設定中おいて、前記ダイヤル情報の入力を受け付けることを特徴とする請求項１もしくは２に記載の通信装置。
【請求項４】
前記ダイヤル情報の入力は、テンキーによる入力であることを特徴とする請求項１乃至３のいずれかに記載の通信装置。
【発明の詳細な説明】
【０００１】
【発明の属する技術分野】
本発明は通信回線に接続され、相手先を指定して発信することにより、その相手先装置と通信可能な通信装置に関するものである。
【０００２】
【従来の技術】
従来、この種の通信装置では、簡単に電話番号（番号データ）を発信するために、電子電話帳に相手先名と相手先名に対する電話番号とを予め記憶させておき、相手先名を検索して、検索された相手先名に対する電話番号が読み出されるように構成されている。
【０００３】
このような電子電話帳を設けた通信装置において、従来、電子電話帳機能を用いてダイヤルを行なう場合には、まず電話帳モードに入れ、検索キーによって所望の相手先を検索し、所望の相手が検索できたときは発信キーを押下することによって、検索された相手先の電話番号が自動ダイヤルされるように構成されている。
【０００４】
【発明が解決しようとする課題】
しかしながら、従来の技術によるときは検索を行なった時点で、登録されている電話番号のほかに例えば第２電電株式会社の回線を利用したい場合、そのままの状態ではできず、一度電話帳モードから抜ける必要があり、この結果相手番号の自動発信も使えず、電話帳モードから第２電電株式会社の回線を利用したい場合は、登録時にそれらの番号まで含めて登録しておく必要があり、ダイヤル時に回線の選択ができなくなるなど、自由度が減少するという問題点があった。この様な問題点は内外線の指定が必要な場合にも生ずる。
【０００５】
また、テンキーで通常のダイヤルキーと検索用キーとを兼用する場合も同様に、一度電話帳モードから抜ける必要があるという問題点があった。
【０００６】
本発明は上述のような問題点を鑑みてなされたものであって、検索した相手先情報に対して、簡単に所望のダイヤル情報を付加して発信することができる通信装置を提供することを目的とするものである。
【０００７】
【課題を解決するための手段】
上記目的を達成するために、本発明の請求項１に記載の通信装置は、複数の相手先情報を記憶する記憶手段と、前記記憶手段に記憶されている複数の相手先情報の中から所望の相手先情報をを検索する検索手段と、検索手段により検索された相手先情報に含まれる番号データの発信を指示する指示手段と、前記検索手段により検索された相手先情報を、前記指示手段による指示があるまで保持しておく保持手段と、を備え、前記保持手段により相手先情報が保持された状態で、前記指示手段による指示が行われる前に、ダイヤル情報の入力を受け付け、ダイヤル情報の入力がなされた後、前記指示手段により発信の指示がなされた場合に、前記入力されたダイヤル情報に続いて前記保持手段により保持されている相手先情報の番号データを発信するように構成されている。
【０００８】
この構成によれば、検索手段により検索された相手先情報が、指示手段による指示があるまで保持手段により保持される。そして、指示手段による指示が行われる前に、ダイヤル情報の入力が可能となり、ダイヤル情報の入力後に指示手段により発信の指示がなされた場合、入力されたダイヤル情報に続いて保持手段に保持されている相手先情報の番号データが発信されることから、ダイヤル情報を先に発信するために、検索手段により検索された相手先電話番号を破棄する必要がなく、相手先電話番号の再指定の手間を省くことが可能となる。
【０００９】
また、請求項２に記載の通信装置は、前記検索手段により検索された相手先情報を表示する表示手段を有し、前記保持手段は、前記表示手段に表示されている相手先情報を保持し、前記表示手段により相手先情報が表示された状態で前記ダイヤル情報の入力を受け付けるように構成されている。
【００１０】
この構成によれば、表示手段に検索した相手先情報を表示させた状態でダイヤル情報の入力を行うことができ、指示手段の指示により発信される相手先情報を確認したうえで的確なダイヤル情報を入力することができる。
【００１１】
また、請求項３に記載の通信装置は、電話帳モードに設定する設定手段を備え、その設定手段により電話帳モードに設定されると、前記検索手段による検索が実行可能となり、電話帳モードの設定中おいて、前記ダイヤル情報の入力を受け付けるように構成されている。
【００１２】
この構成によれば、設定手段により電話帳モードに設定されることで、検索手段による検索が行われ、その電話帳モードから抜けることなく、検索手段により検索された相手先情報を保持したままでダイヤル情報の入力が可能となる。
【００１３】
また、請求項４に記載の通信装置は、前記ダイヤル情報の入力は、テンキーによる入力であることを特徴とするものである。
【００１４】
この構成によれば、テンキーによりダイヤル情報が入力可能であることから、必要に応じて容易にダイヤル情報を発信することが可能となる。
【００１５】
【発明の実施の形態】
以下、本発明に通信装置を具体化した実施の形態について図面を参照して説明する。
【００１６】
図１は本発明の一実施例の構成を示すブロック図であり、図２は本発明の一実施例の外観図である。
【００１７】
本実施形態では電子電話帳付き端末装置に本発明を適用した場合について例示している。
【００１８】
本実施形態の端末装置は、中央処理装置（ＣＰＵ）１１、端末装置を制御するためのプログラムおよび電子電話帳制御のためのプログラムを記憶させたＲＯＭ１２１とバックアップ電源によりバックアップされ、かつ登録された相手先名情報および相手先名情報に対応する相手先電話番号情報を記憶する電話番号記憶領域、作業領域を有するＲＡＭ１２２とからなるメモリー１２を備えており、通常はハンドセット１９と後記のテンキー１４１により一般の電話機として働くように構成してある。また、ダイヤルはハンドセット１９のオフフック以外にオンフックダイヤルキー１４３の押し下げによっても行なえるように構成してある。
【００１９】
本実施形態の端末装置は、さらに相手先検索に伴って相手先名および該相手先の電話番号を表示するための液晶ディスプレイ１３と、複数の英文字が１つのキーに割り付けられて検索用キーとダイヤルキーとを兼用するテンキー１４１、電話帳キー１４２、ハンドセット１９のオフフック以外に押し下げによってダイヤルを可能とするためのオンフックダイヤルキー１４３、発信指示キー１４４、および停止指示キー１４５、からなるキー群１４と、電話帳モードであることを示すランプ１５と、ハンドセットフックモニタ１６と、フック回路１７と、ダイヤラ回路１８とを備えている。
【００２０】
キー群１４からの出力信号およびハンドセットフックモニタ１８からの出力信号はＣＰＵ１１に入力され、キー群１４の出力信号、ハンドセットフックモニタ１６からの出力信号を受けてＣＰＵ１１とメモリー１２とは協同して、電話帳モードと登録モードとの一方を選択するモード選択制御、相手先名および電話番号をメモリー１２へ格納する登録モード制御、ランプ１５の点灯、消灯制御、メモリー１２からの電話番号の読み出し、ハンドセットフックモニタ１６からのハンドセットオフフック信号出力およびオンフックダイヤルキー１４３からの信号出力を受けてテンキー１４１からの信号にともないダイヤラ回路１８を駆動させ、フック回路１７をオフフックにして、電話回線にテンキー１４１による電話番号の発信をさせ、またはテンキー１４１からの信号に代わってメモリー１２から読み出した登録電話番号の自動発信をさせる等の発信制御などを行なう。
【００２１】
上記の如く構成した本実施形態の作用をＲＯＭ１２１に記憶したプログラムにしたがって、図３および図４のフローチャートに基づいて説明する。
【００２２】
まず図３（ａ）によりモード選択について説明する。
【００２３】
待機状態において電話帳キー１４２が押下されるのを待つ（ステップＳ１）。電話帳キー１４２が押下されると、電話帳モードにされる（ステップＳ２）。電話帳モードに入るとランプ１５が点灯されて電話帳モードに入ったことが表示される。この時テンキー１４１は検索用キーとなる。ステップＳ２に続いて電話帳キー１４２が押下されると（ステップＳ３）、電話帳モードから登録モードにモードが切替えられる（ステップＳ４）。ステップＳ４に続いて電話帳キー１４２が押下されると、登録モードから電話帳モードに切替えられる（ステップＳ５）。ステップＳ３において電話帳キー１４２が押下されないときは、電話帳モードが継続され、ステップＳ５において電話帳キー１４２が押下されないときは、登録モードが継続される。すなわち、電話帳キー１４２の押下によって電話帳モードと登録モードとが交互に切替えられる。また、各状態で停止キー１４５が押下されると、待機状態に戻され、待機状態から他の操作により一般電話機として使用される。登録モードにおいてもランプ１５は点灯を継続しており、待機状態に入ったときはランプ１５は消灯して電話帳モードおよび登録モードから抜けたことが表示される。
【００２４】
次に図３（ｂ）により登録モードについて説明する。
【００２５】
待機状態から電話帳キー１４２が続けて２回押下されることにより登録モードに入る。登録モードに入るとテンキー１４１は英文字入力キーとなり、テンキー１４１を押下することにより文字が入力され、一文字ずつ発信キー１４４を押下することによって入力された文字を決定して行くことで相手先名の決定がなされ、入力される（ステップＳ６およびステップＳ７）。この例は、例えば「Ｂ」を入力するときは、テンキー１４１の〃２〃（ＡＢＣ）を２回押下して、液晶ディスプレイ１３に「Ｂ」を表示させ、発信キー４１４を押下して「Ｂ」を決定する。次に「Ｒ」を入力するときはテンキー１４１の〃７〃（ＰＲＳ）を２回押下して「Ｒ」を表示させて、発信キー１４４を押下して決定する。同様の手順で名前全部を決定した後（最後の文字決定の為に発信キー１４４を押下した後）再度発信キー１４４を押下することにより名前全部を決定する。ステップＳ６およびステップＳ７における相手先名の入力、決定が終了したときテンキー１４１は０〜９、＊、＃の番号となる。
【００２６】
ステップＳ７に続いて相手先電話番号をテンキー１４１を押し下げることによって数字が入力され、発信キー１４４を押下することにより相手先電話番号の決定がなされ、入力される（ステップＳ８およびステップＳ９）。ステップＳ９に続いて決定された相手先と該相手先の電話番号とがＲＡＭ１２２の電話番号記憶領域に格納されて登録されて（ステップＳ１０）、１件の登録が完了し、続いて次の相手先の入力がされる（ステップＳ１１）。ステップＳ６からステップＳ１１を繰り返すことにより必要相手先の登録がされる。なお、相手先名の入力時および相手先電話番号の入力時入力された文字および番号は液晶ディスプレイ１３にその度ごとに表示される。なお、登録モードの間ランプ１５は点灯させられていて、テンキー１４１はダイヤルキーとして機能していない状態であることが示されている。
【００２７】
登録モードから抜けるとき、または途中で終了するときには、停止キー１４５を押下することにより通常電話状態に戻される。
【００２８】
次に図４により電話帳モードについて説明する。
【００２９】
待機状態から電話帳キー１４２が１回押下されることにより電話帳モードに入り、ランプ１５が点灯される。このとき、テンキー１４１は検索用キーとなり、テンキー１４１を押下することにより相手先名を検索する。この検索はテンキー１４１が押下げられると（ステップＳ２１）、押下されたテンキー１４１に割り付けてある英文字の１つを先頭文字とする相手先名の内メモリー１２の電話番号記憶領域先頭に格納されている相手先名と該相手先名に対する電話番号とが読み出されて液晶ディスプレイ１３に表示される（ステップＳ２２）。この表示が所望の相手先になるまで、テンキー１４１の押下を繰返して所望の相手先名が液晶ディスプレイ１３に表示される迄、検索が続けられる（ステップＳ２３）。検索の１例を示せば、次の如くである。テンキー１４１の〃２〃を１回押下すると「Ａ」を検索することになり、液晶ディスプレイ１３に氏名の先頭が「Ａ」である相手先名の内の１つが表示される。氏名の先頭が「Ａ」である相手先名が複数ある場合は▼（＊）キー、または▲（＃）キーを押下することにより、所望の相手先の検索が行なわれる。氏名の先頭が「Ｂ」である場合はテンキー１４１の〃２〃を２回押下した後▼（＊）キー、または▲（＃）キーを押下することにより検索が行なわれる。以上の方法により所望の相手先名の検索が行なわれる。
【００３０】
ステップＳ２３の検索により所望の相手先が検索できたときは、発信キー１４４が押下される（ステップＳ２４）。ステップＳ２４において発信キー１４４が押下されると、液晶ディスプレイ１３に表示されている相手先電話番号が自動ダイヤルされ（ステップＳ２５）、通常電話の状態となる（ステップＳ２６）。
【００３１】
一方、電話帳モード中にハンドセット１９がオフフックされた場合、またはオンフックダイヤルキー１４３が押下されると、ランプ１５は消灯され、検索された表示はそのまま液晶ディスプレイ１３に残され（ステップＳ２７）、テンキー１４１は通常のダイヤルキーとして機能させられる（ステップＳ２８）。したがって、ランプ１５の消灯によりテンキー１４１はダイヤルキーとして機能する状態であることが示される。
【００３２】
ステップＳ２８に続いて発信キー１４４が押下されたか否かがチェックされる（ステップＳ２９）。ステップＳ２９において発信キー１４４が押下されず、ステップＳ２８に続いてテンキー１４１により相手先電話番号がダイヤルされたときは（ステップＳ３０）、テンキー１４１のみによる通常ダイヤルのみが行なわれたことになる。ステップＳ３０に続いて発信キー１４４は押下されたか否かがチェックされ（ステップＳ３１）、発信キー１４４が押下されないときは通常電話の状態となって（ステップＳ３２）、ステップＳ３０においてテンキー１４１によってダイヤルされた相手と交信することができる。
【００３３】
ステップＳ３０に続いて発信キー１４４が押下されたときは、ステップＳ３０においてテンキー１４１によってされたダイヤルに続いて、液晶ディスプレイ１３に表示されている相手先電話番号が自動ダイヤルされ（ステップＳ３３）、ステップＳ３３に続いて通常電話の状態となる（ステップＳ３４）。したがって、ステップＳ３０において例えば第２電電株式会社の電話回線を使用するべくテンキー１４１によって〃００７７〃をダイヤルし、引き続いてステップＳ３１において発信キー１４４を押下した場合は、００７７に続いて、ステップＳ２７において表示されている相手先の電話番号が自動発信されることになり、登録されている相手先へ、例えば第２電電株式会社の電話回線を使用して、電話することができることになる。
【００３４】
また、電話帳モード中にオフフックにした場合、または、オンフックダイヤルキー１４３が押下された場合は、テンキー１４１は通常ダイヤルキーとして作用しているために、ステップＳ３０において全電話番号をダイヤルする場合も、上記例の如く００７７に続いて相手電話番号をダイヤルして発信を行なうことができるのは勿論である。
【００３５】
ステップＳ２９において発信キー１４４が押下されたときは表示されている相手先電話番号が自動ダイヤルされ（ステップＳ３３）、ステップＳ３３に続いて通常電話の状態となる（ステップＳ３４）。そこで、ステップＳ２９において発信キー１４４を押下して、液晶ディスプレイ１３に表示されている相手先電話番号に自動ダイヤルすることもできる。
【００３６】
なお、テンキー１４１によってダイヤルした場合でも、発信キー１４４によって自動ダイヤルした場合でも、発信した後電話帳モードから抜け、通常電話状態に戻される。
【００３７】
また、相手先検索途中で停止キー１４５が押下されると、電話帳モードから抜け、ランプ１５は消灯させられ、液晶ディスプレイ１３の表示は消滅させられ、通常電話機の状態にされる。
【００３８】
【発明の効果】
以上説明したように本発明の請求項１に記載の通信装置によれば、検索手段により検索された相手先情報が、指示手段による指示があるまで保持手段により保持され、そして、指示手段による指示が行われる前に、ダイヤル情報の入力が可能となり、ダイヤル情報の入力後に指示手段により発信の指示がなされた場合、入力されたダイヤル情報に続いて保持手段に保持されている相手先情報の番号データが発信されることから、ダイヤル情報を先に発信するために、検索手段により検索された相手先電話番号を破棄する必要がなく、相手先電話番号の再指定の手間を省くことが可能となる。
【００３９】
また、請求項２に記載の通信装置によれば、検索手段により検索された相手先情報を表示する表示手段を有し、保持手段は、表示手段に表示されている相手先情報を保持し、表示手段により相手先情報が表示された状態でダイヤル情報の入力を受け付けるように構成されているので、表示手段に検索した相手先情報を表示させた状態でダイヤル情報の入力を行うことができ、指示手段の指示により発信される相手先情報を確認したうえで的確なダイヤル情報を入力することができる。
【００４０】
また、請求項３に記載の通信装置によれば、電話帳モードに設定する設定手段を備え、その設定手段により電話帳モードに設定されると、検索手段による検索が実行可能となり、電話帳モードの設定中おいて、前記ダイヤル情報の入力を受け付けるように構成されているので、設定手段により電話帳モードに設定されることで、検索手段による検索が行われ、その電話帳モードから抜けることなく、検索手段により検索された相手先情報を保持したままでダイヤル情報の入力が可能となる。
【００４１】
また、請求項４に記載の通信装置によれば、テンキーによりダイヤル情報が入力可能であることから、必要に応じて容易にダイヤル情報を発信することが可能となる。
【図面の簡単な説明】
【図１】本実施形態の端末装置の概略的構成を示すブロック図である。
【図２】本実施形態の端末装置の外観図である。
【図３】本実施形態の端末装置の動作を示すフローチャートである。
【図４】本実施形態の端末装置の動作を示すフローチャートである。
【符号の説明】
１１      ＣＰＵ
１３      液晶ディスプレイ
１４      キー群
１６      ハンドセットフックモニタ
１７      フック回路
１８      ダイヤラ回路
１９      ハンドセット
１２１    ＲＯＭ
１２２    ＲＡＭ
１４１    テンキー
１４２    電話帳キー
１４３    オフフックダイヤルキー
１４４    発信指示キー
【図１】
0003702875.tif 000002
【図２】
0003702875.tif 000003
【図３】
0003702875.tif 000004
【図４】
0003702875.tif 000005